(57)【要約】【課題】トラック入力装置及びそのスクロール制御方法を提供する。【解決手段】本発明のスクロール制御方法は、センサエリア及び制御器を含むトラック入力装置に適用する。スクロール制御方法は、トラック入力装置のセンサエリアにおいて、スクロールトリガエリア及びカーソルエリアを配置する。センサエリアにより第１トラック信号を受信する。第１トラック信号がセンサエリアのスクロールトリガエリアにより受信される時、第１トラック信号の変位量がトリガ閾値より大きいかを判断する。変位量がトリガ閾値より大きい時、スクロールモードに入り、スクロール信号を発送する。【選択図】図２
2013004085.tif 000002
【特許請求の範囲】
【請求項１】
トラック入力装置に適当するスクロール制御方法であって、該スクロール制御方法は、
該トラック入力装置のセンサエリアにおいて、スクロールトリガエリア及びカーソルエリアを配置し、
該センサエリアにより第１トラック信号を受信し、
該第１トラック信号が該センサエリアの該スクロールトリガエリアにより受信される時、該第１トラック信号の変位量がトリガ閾値より大きいかを判断し、
該変位量が該トリガ閾値より大きい時、スクロールモードに入り、スクロール信号を発送することを含むスクロール制御方法。
【請求項２】
前記スクロールトリガエリアは、複数のサブエリアを含み、各該サブエリアがスクロール方向に対応し、且つ該第１トラック信号の該変位量が該トリガ閾値より大きいかを判断するステップは、
該第１トラック信号の該サブエリアに基づき、該変位量中の該スクロール方向に対応する第１分量が該トリガ閾値より大きいかを判断することを含む請求項１に記載のスクロール制御方法。
【請求項３】
前記スクロールモードに入り、該スクロール信号を発送するステップが、
該スクロールモードに入り、該カーソルエリアから第２トラック信号を受信し、
該第２トラック信号に基づき該変位量中の該スクロール方向に対応する第２分量に基づき、該スクロール信号を発送することを含む請求項２に記載のスクロール制御方法。
【請求項４】
前記スクロールモードに入り、該スクロール信号を発送するステップが、
該スクロールモードに入り、該第１分量を該トリガ閾値と減算し、第３分量を獲得し、
該第３分量に基づき、該スクロール信号を発送する請求項２に記載のスクロール制御方法。
【請求項５】
前記スクロールモードに入り、該スクロール信号を発送するステップの後に、更に、
待機時間において、該カーソルエリア又は該第１トラック信号の対応する該サブエリアから第３トラック信号を受信する時、該スクロールモードを持続し、該第３トラック信号に基づき、該スクロール信号を発送し、
該待機時間において、該センサエリアから如何なる該トラック信号も受信しない時、該スクロールモードからカーソルモードに入ることを含む請求項１に記載のスクロール制御方法。
【請求項６】
スクロールトリガエリア及びカーソルエリアを含むセンサエリアと、
制御器であって、該センサエリアから第１トラック信号を受信し、該第１トラック信号が該センサエリアの該スクロールトリガエリアから受信する時、該制御器が該第１トラック信号の変位量がトリガ閾値より大きいかを判断し、該変位量が該トリガ閾値より大きい時、スクロールモードに入り、該制御器がスクロール信号を発送する制御器と、
を含むトラック入力装置。
【請求項７】
前記スクロールトリガエリアは、複数のサブエリアを含み、各該サブエリアがスクロール方向に対応し、且つ該プロセッサは、該第１トラック信号を受信する該サブエリアに基づき、該変位量中に該スクロール方向に対応する第１分量が該トリガ閾値より大きいかを判断する請求項６に記載のトラック入力装置。
【請求項８】
前記スクロールモードに入った後、該制御器は、該カーソルエリアが第２トラック信号を受信し、該第２トラック信号の該変位量中の該スクロール方向に対応する第２分量に基づき、該スクロール信号を発送する請求項７に記載のトラック入力装置。
【請求項９】
前記スクロールモードに入った後、該制御器は、該第１分量を該トリガ閾値と減算し、第３分量を獲得し、該第３分量に基づき該スクロール信号を発送する請求項７に記載のトラック入力装置。
【請求項１０】
待機時間において、該トラックエリア又は該第１トラック信号の対応する該サブエリアから第３信号を受信する時、該スクロールモードを持続し、且つ該制御器は、該第３トラック信号に基づき該スクロール信号を発送し、該待機時間において、該センサエリアから如何なる該トラック信号も受信しない時、該スクロールモードからカーソルモードに入る請求項６に記載のトラック入力装置。
【発明の詳細な説明】
【技術分野】
【０００１】
本発明は、トラック入力装置に関し、特に、スクロール機能を有するトラック入力装置及びそのスクロール制御方法に関する。
【背景技術】
【０００２】
科学技術の絶え間ない発展に伴い、例えば、パソコン、携帯電話、自動ナビゲーションシステム及び電子ゲーム等の電子装置は、消費市場の強烈な要求において、各業者が絶えず使用上の機能を増進させ、より多くの消費者の注目を集めている。そのうち、使用者により便利に電子装置を操作制御させるため、多くの電子装置は、何れもタッチ制御式パネル（touch panel、又はtablet、感応パネルとも称する）、又は、その他の使用者にトラックを入力操作させることができる方式を増設し、使用者にタッチ制御式パネルにより操作を行わせる入力手段を提供する。現在、既に各種タッチ制御センサ技術、例えば、抵抗式、容量式、コイル式、音波式及び赤外線式等が開発されている。
【０００３】
従来のマウスに比較し、使用者は、タッチ制御式パネル上おいてトラック信号を入力する方式によりカーソルを制御することができ、より直感的な操作経験を得ることができる。但し、タッチ制御式パネルは、マウスのようにビジュアルウィンドウページ面の縦軸をスクロールするローラを有しておらず、ただ、使用者にトラック信号を入力させることのみ可能であるので、タッチ制御式パネルは、ビジュアルウィンドウページ面の横軸（Ｒ軸）又は縦軸（Ｚ軸）をスクロールするスクロール機能を提供することができない。言い換えれば、タッチ制御式パネルを利用し、入力装置とする時、コンテンツがウィンドウサイズより大きな文書又はウェブサイトを閲覧することに非常に不便である。
【先行技術文献】
【特許文献】
【０００４】
【特許文献１】特開２０１２−９９０９３号公報
【発明の概要】
【発明が解決しようとする課題】
【０００５】
業者は、タッチ制御式パネルを利用し、スクロール機能を提供し、例えば、別途設置するプッシュボタン又はセンサエリアによりトラック信号の処理方式をスイッチすることを試みているが、既存の方法は、依然として別途ハードウェアコストを要するか、タッチミスにより適切にスイッチできない等の問題が生じ易くなっている。
本発明は、これらの問題を解消するトラック入力装置及びそのスクロール制御方法を提供しようとするものである。
【課題を解決するための手段】
【０００６】
上記の問題を解決する為、本発明は、トラック入力装置及びそのスクロール制御方法であって、トラック入力装置は、センサエリア及び制御器を含む。スクロール制御方法は、トラック入力装置のセンサエリアにおいて、スクロールトリガエリア及びカーソルエリアを配置する。センサエリアにより第１トラック信号を受信する。第１トラック信号がセンサエリアのスクロールトリガエリアにより受信される時、第１トラック信号の変位量がトリガ閾値より大きいかを判断する。変位量がトリガ閾値より大きい時、スクロールモードに入り、スクロール信号を発送する。
【０００７】
スクロールトリガエリアは、複数のサブエリアを含み、各サブエリアがスクロール方向に対応することができる。「第１トラック信号の変位量がトリガ閾値より大きいかを判断する」のステップは、第１トラック信号を受信するサブエリアに基づき、変位量柱のスクロール方向に対応する第１分量がトリガ閾値より大きいかを判断することを含むことができる。そのうち、サブエリアが対応するスクロール方向は、水平方向、垂直方向又は特定傾斜方向であることができる。
【０００８】
実施例に基づき、「スクロールモードに入り、スクロール信号を発送する」のステップは、スクロールモードに入り、カーソルエリアにより第２トラック信号を受信すること、第２トラック信号の変位量柱のスクロール方向に対応する第２分量に基づき、スクロール信号を発送することを含むことができる。
【０００９】
他の実施例に基づき、「スクロールモードに入り、スクロール信号を発送する」のステップは、スクロールモードに入り、第１分量及びトリガ閾値を減算し、第３分量を獲得すること、第３分量に基づき、スクロール信号を発送することを含むことができる。
【００１０】
また、「スクロールモードに入り、スクロール信号を発送する」のステップの後、スクロール制御方法は、以下を含むことができる：更に、一定待機時間において、カーソルエリア又は第１トラック信号が対応するサブエリアにより第３トラック信号を受信する時、スクロールモードを持続し、第３トラック信号に基づき、スクロール信号を発送すること、待機時間にセンサエリアから如何なるトラック信号も受信しない時、スクロールモードからトラックモードに入る。
【発明の効果】
【００１１】
上記のように、トラック入力装置及びそのスクロール制御方法は、スクロールトリガエリアに入力する第１トラック信号の変位量がトリガ閾値より大きいかを判断し、スクロールモードにスイッチし、ビジュアルウィンドウページ面の縦軸又は/及び横軸をスクロールする機能を提供する。且つ使用者が待機時間内に同一スクロールモードでトラック信号を連続入力することができ、ビジュアルウィンドウページを連続スクロールすることができる。
【図面の簡単な説明】
【００１２】
【図１】実施例のトラック入力装置の外観図である。
【図２】実施例のスクロール制御方法のフロー図である。
【図３】実施例のセンサエリアの説明図である。
【図４】実施例のスクロール方向の説明図である。
【図５】実施例の第１分量の説明図である。
【図６】実施例の第１分量の説明図である。
【図７】実施例の第２分量の説明図である。
【図８】実施例の第３分量の説明図である。
【図９】実施例のスクロール制御方法のフロー図である。
【発明を実施するための形態】
【００１３】
本発明の上記目的及びその構造及び機能上の特性について、図面に基づく実施例を挙げ以下に説明する。
【００１４】
以下に本実施方式において、本発明の詳細特徴及び利点を詳細に記述し、その内容は、当業者が本発明の内容を理解し、実施するに足るものであり、且つ本発明が開示する内容、特許請求の範囲及び図面に基づき、当業者は、本発明の関連する目的及び利点を容易に理解することができる。
【００１５】
本発明は、トラック入力装置及びそのスクロール制御方法を提供する。スクロール制御方法は、トラック入力装置に適用し、トラック入力装置を介し、ウィンドウページ面をスクロールさせることに用いる。
【００１６】
図１を参照し、それは、実施例のトラック入力装置の外観図である。トラック入力装置２０は、センサエリア２２を有する感応パネル及びプロセッサ２４を含む。且つプロセッサ２４は、感応パネルと電気接続する。トラック入力装置２０は、使用者にトラックを操作入力させることができる任意の装置であることができ、例えば、デジタルボード、手書きパッド、グラフィックボード又はタッチパネルを有するゲーム機である。そのうち、感応パネルは、例えば、抵抗式、容量式、コイル式、音波式又は赤外線式であることができる。表示スクリーンは、パソコンのスクリーン、携帯電話スクリーン又はテレビスクリーン等であることができる。
【００１７】
図２は、実施例のスクロール制御方法のフロー図である。続いて、図２により、トラック入力装置２０が行うスクロール制御方法を説明する。
【００１８】
先ず、トラック入力装置のセンサエリアにおいて、スクロールトリガエリア及びカーソルエリアを配置する（ステップＳ１００）。図３を合わせて参照し、それは、実施例のセンサエリアの説明図である。
【００１９】
図３の実施例において、センサエリア２２中の外周エリアがスクロールトリガエリア３０に配置され、中心エリアがカーソルエリア４０として配置される。但し、スクロールトリガエリア３０がセンサエリア２２の右側及び下側として配置されるか、センサエリア２２の右側のみに配置されることができる。配置方式は、スクロールしたいウィンドウページ面が対応するアプリケーションプログラムに応じて決定することができる。また、使用中のアプリケーションプログラムに対応し、スクロールトリガエリア３０及びカーソルエリア４０を配置し直すこともできる。
【００２０】
更に詳細に言えば、スクロールトリガエリア３０をサブエリアに分割することができ、そのうち、各サブエリアがスクロール方向に対応する。例えば、スクロールトリガエリア３０は、上下側の横長方形に位置する２つの横軸サブエリア３２、その左右側の縦長方形に位置する２つの縦軸サブエリア３４及び四角に位置する４つの軸のサブエリア３６を含むことができる。
【００２１】
スクロールトリガエリア３０のこれらサブエリアは、異なるスクロール方向にそれぞれ対応することができ、図４に示すようである。横軸サブエリア３２、縦軸サブエリア３４及び両軸サブエリア３６が対応するスクロール方向は、それぞれ水平方向３３、垂直方向３５及び特定の傾斜方向３７である。そのうち、特定の傾斜方向３７は、例えば、水平方向３３と４５度また６０度の挟み角の方向であることができる。異なるサブエリアは、ウィンドウページ面の横軸（Ｒ軸とも称する）又は縦軸（Ｚ軸とも称する）の単軸スクロール機能を提供することに用いることができ、横軸及び縦軸の両軸同時スクロール機能を提供することもできる。
【００２２】
スクロールトリガエリア３０を配置した後、トラック入力装置２０は、センサエリアから第１トラック信号を受信し（ステップＳ２００）、制御器２４は、第１トラック信号がスクロールトリガエリア３０から受信されたかを判断する（ステップＳ３００）。第１トラック信号がセンサエリアのスクロールトリガエリアから受信される時、制御器２４が第１トリガ信号の変位量がトリガ閾値より大きいかを判断する（ステップＳ４００）。
【００２３】
ステップＳ４００において、制御器２４は、第１トラック信号を受信したサブエリアに基づき、この変位量中のスクロール方向に対応する第１分量がトリガ閾値より大きいかを判断する。そのうち、各スクロール方向に対応する第１分量は、長さのみを記録し、方向を記録しないことができる。図５及び図６を合わせて参照し、それは、異なる実施例の第１分量の説明図である。
【００２４】
図５の実施例において、使用者は、手指で縦軸エリア３４の中に第１トラック信号５０を入力する。使用者が入力した第１トラック信号５０は、完全に縦軸サブエリア３４が対応する垂直方向３５に沿って移動するものでない可能性がある。制御器２４は、先ず、第１トラック信号５０の起点及び終点により第１トラック信号５０の変位量を計算し、更に、この変位量の垂直方向３５上の第１分量５２を計算する。また、制御器２４は、第１トラック信号５０の起点及び終点の縦軸座標の差値を計算し、第１分量５２を得ることができる。
【００２５】
図６の実施例において、使用者は、両軸サブエリア３６の中に手指で第１トラック５０を入力することができる。且つ両軸サブエリア３６が対応する特定傾斜方向３７は、Ｘ軸正方向及びＹ軸正方向は、挟み角４５度の方向である。制御器２４は、先ず、第１トラック信号５０の起点及び終点に基づき、変位量を計算し、更に、変位量の特定傾斜方向３７上の第１分量５２を計算する。
【００２６】
制御器２４は、第１分量５２を計算した後、第１トラック信号５０の変位量の第１分量５２がトリガ閾値５４より大きいかを判断する。異なるスクロール方向及びサブエリアに対し、異なるトリガ閾値を設けることができる。例えば、横軸サブエリア３２が対応するトリガ閾値５４は、３０ピクセル（pixel）であることができ、両軸サブエリア３６の面積が比較的小さいので、対応するトリガ閾値５４を１０ピクセルに設けることができる。
【００２７】
変位量がトリガ閾値より大きい時、感応パネルがスクロールモードに入り、スクロール信号を発送し（ステップＳ５００）、単軸又は両軸のスクロール機能を提供する。更に詳細に言えば、感応パネルは、通常時、予め設けるカーソルモードにあることができ、一般のカーソル制御機能を提供する。スクロールトリガエリア３０を介し、変位量がトリガ閾値５４より大きい第１トラック信号５０を受信する時、初めてスクロールモードにスイッチする。且つ異なるサブエリアに対応し、スクロールモードを更に横軸スクロールモード、縦軸スクロールモード及び両軸スクロールモードに細分化することができる。
【００２８】
第１実施例に基づき、スクロール信号を発送するステップＳ５００は、スクロールモードに入ることができ、カーソルエリアにより第２トラック信号を受信する。制御器２４は、第２トラック信号の変位量中のスクロール方向に対応する第２分量に基づきスクロール信号を発送する。
【００２９】
図７を参照し、それは、実施例の第２分量の説明図である。第１分量５２の計三方向に類似し、制御器２４は、第２トラック信号６０の起点に基づき、第２トラック信号６０の変位量を計算し、この変位量のスクロール方向上の第２分量６２を計算する。そのうち、第２分量６２を計算するスクロール方向は、スクロールモードと対応する。例えば、使用者が、縦軸サブエリア３４に第１トラック信号５０を入力し、且つ縦軸スクロールモードに入る時、第２分量６２を計算するスクロール方向が垂直方向３５である。
【００３０】
続いて、制御器２４は、第２分量６２の大きさに基づき、スクロール信号を発送することができる。例えば、第２分量６２の値が大きいほど、ウィンドウページ面のスクロールの幅が大きくなる。使用者が比較的速い速度で第２トラック信号６０を描けば、比較的速いスクロール速度でウィンドウページ面をスクロールする。且つ、図７の実施方式において、使用者が上から下へ描く場合、スクロール信号は、ウィンドウページ面の下向きのスクロールを要求する。
【００３１】
他の実施方式に基づき、スクロール信号を発送するステップＳ５００は、スクロールモードに入ることができる。制御器２４は、第１分量５２及びトリガ閾値５４を減算し、第３分量５６を獲得し、第３分量５６に基づき、スクロール信号を発送する。そのうち、第１分量５２、第３分量５６及びトリガ閾値５４は、何れも単純な量であり、ベクトルではない。
【００３２】
図８を参照し、それは、実施例の第３分量の説明図である。前記ステップにより第１トラック信号５０の変位量の第１分量５２を計算した後、第１分量５２をトリガ閾値５４と減算し、第３分量５６を得る。例えば、第１分量５２が１２５ピクセルであり、トリガ閾値５４が３０ピクセルであれば、第３分量５６が９５ピクセルである。制御器２４は、第３分量５６及び使用者が描く第１トラック信号５０の速度等のパラメータに基づき、スクロール信号を発送することができる。
【００３３】
第１トラック信号５０が、センサエリア２２のカーソルエリア４０から受信されるか、第１トラック信号５０の変位量がトリガ閾値５４以下である時、カーソルモードに入り、カーソル信号を発送する（ステップ６００）(図９参照)。言い換えれば、スクロールモードをトリガしていない場合、トラック入力装置２０がカーソルモードを維持する。制御器２４は、使用者が入力する第１トラック信号５０に基づきカーソルを発送し、一般的カーソル制御機能を提供する。
【００３４】
実施例に基づき、スクロール信号を発送した後、トラック入力装置２０は、待機時間内にスクロールモードを維持することができる。図９を参照し、それは、実施例のスクロール制御方法のフロー図である。
【００３５】
トラック入力装置２０は、待機時間内、スクロールモードを維持し、制御器２４は、待機時間中に、カーソルエリア４０又は第１トラック信号５０が対応するサブエリアから第３トラック信号を受信するかを判断することができる（ステップＳ７００）。待機時間において、カーソルエリア４０又は第１トラック信号５０から対応するサブエリアから第３トラック信号を受信する時、スクロールモードを持続し、第３トラック信号に基づきスクロール信号を発送する。待機時間中にセンサエリア２２からトラック信号を受信する時、スクロールモードから予め設けるカーソルモードに入ることができる。
【００３６】
待機時間が１秒であり、且つ第１トラック信号５０は、縦軸サブエリア３４から入力されると仮設する。使用者は、第２ドラック信号６０又は第１トラック信号５０の第３分量５６を利用し、ウィンドウページ面をスクロールした後、１秒内に、再度カーソルエリア４０又は縦軸サブエリア３４に第２トラック信号６０を入力し、ウィンドウページ面を連続スクロールすることができる。スクロール信号を発送した後、１秒内に使用者が入力トラック信号を受信しない場合、トラック入力装置２０は、縦軸スクロールモードからカーソルモードにスイッチする。
【００３７】
また、待機時間において、第１トラック信号５０が対応するサブエリア以外のサブエリアから第３トラック信号を受信し、この時の制御器２４が第３トラック信号の変位量がトリガ閾値５４より大きいかを判断し、他のスクロールモードにスイッチするかを判断する。例えば、縦軸スクロールモードの待機時間内において、両軸サブエリア３６から変位量が対応する両軸サブエリア３６のトリガ閾値５４より大きい第３トラック信号を受信する時、縦軸スクロールモードから両軸スクロールモードにスイッチし、ステップＳ５００を行う。
【００３８】
上記のように、トラック入力装置及びそのスクロール制御方法は、既存のセンサエリアにスクロールトリガエリアを配置し、スクロールトリガエリアに入力し、且つ変位量がトリガ閾値５４より大きなトラック信号に基づき、スクロールモードにスイッチし、ウィンドウページ面の縦軸又は/及び横軸をスクロールする機能を提供する。変位量がトリガ閾値５４より小さいトラック信号は、スクロールモードをトリガしないので、使用者がスクロールトリガエリアにミスタッチして頻繁にモードをスイッチする問題を回避することができる。且つ、スクロール信号を発送した後、一定待機時間に現在のスクロールモードを保持することができるので、使用者にウィンドウページ面を連続スクロールさせることができる。
【００３９】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００４０】
２０  トラック入力装置
２２  センサエリア
２４  制御器
３０  スクロールトリガエリア
３２  横軸サブエリア
３３  水平方向
３４  縦軸サブエリア
３５  垂直方向
３６  両軸(二軸)サブエリア
３７  特定傾斜方向
４０  カーソルエリア
５０  第１トラック信号
５２  第１分量
５４  トリガ閾値
５６  第３分量
６０  第２トラック信号
６２  第２分量
【図１】
2013004085.tif 000003
【図２】
2013004085.tif 000004
【図３】
2013004085.tif 000005
【図４】
2013004085.tif 000006
【図５】
2013004085.tif 000007
【図６】
2013004085.tif 000008
【図７】
2013004085.tif 000009
【図８】
2013004085.tif 000010
【図９】
2013004085.tif 000011